(57)【要約】【課題】  配線盤内における光コードの取り回しを行い易くすることができるスプリッタモジュールを提供する。【解決手段】  スプリッタモジュール１は、光スプリッタが収容された下部筐体２と、下部筐体２上に回転可能に連結された上部筐体３とを備えている。下部筐体２の一端部には、光スプリッタと接続された出力側アダプタソケット１３を保持するアダプタソケットホルダ１４が取り付けられている。下部筐体２には、アダプタソケットホルダ１４の反対側において下部筐体２に対する入力側アダプタソケット１６の位置を下部筐体２の幅方向両側で切り換えるソケット位置切換部材１７が取り付けられている。入力側アダプタソケット１６は、光スプリッタと接続されている。上部筐体３には、光スプリッタと接続された出力側アダプタソケット２３を保持するアダプタソケットホルダ２４が取り付けられている。【選択図】  図２
2010122597.tif 000002
【特許請求の範囲】
【請求項１】
入力側光ファイバ心線から入射した光信号を分岐させて複数の出力側光ファイバ心線に出射する光スプリッタを有するスプリッタモジュールにおいて、
前記光スプリッタを収容する第１筐体と、
前記第１筐体の一端側に取り付けられ、前記出力側光ファイバ心線と接続される出力側光ソケットと、
前記第１筐体の他端側に配置され、前記入力側光ファイバ心線と接続される入力側光ソケットと、
前記第１筐体に対して可動するように取り付けられ、前記第１筐体に対する前記入力側光ソケットの位置を前記第１筐体の幅方向両側で切り換えるソケット位置切換部材とを備えることを特徴とするスプリッタモジュール。
【請求項２】
前記入力側光ソケットは、前記第１筐体の幅方向両側の何れの位置にあるときでも、前記第１筐体の厚さ方向に平行な軸を中心として回動可能となるように前記ソケット位置切換部材に取り付けられていることを特徴とする請求項１記載のスプリッタモジュール。
【請求項３】
前記第１筐体に対して重なり合うように配置された第２筐体を更に備え、
前記第２筐体には、前記出力側光ファイバ心線と接続される前記出力側光ソケットが取り付けられていることを特徴とする請求項１または２記載のスプリッタモジュール。
【請求項４】
前記出力側光ソケットは、前記第１筐体及び前記第２筐体の幅方向に平行な軸を中心として回動可能となるように前記第１筐体及び前記第２筐体にそれぞれ取り付けられていることを特徴とする請求項３記載のスプリッタモジュール。
【請求項５】
前記第２筐体は、前記第１筐体の厚さ方向に平行な軸を中心として回動可能となるように前記第１筐体に連結されていることを特徴とする請求項３または４記載のスプリッタモジュール。
【発明の詳細な説明】
【技術分野】
【０００１】
本発明は、光信号を分岐させる光スプリッタを有するスプリッタモジュールに関するものである。
【背景技術】
【０００２】
スプリッタモジュールは、例えば集合住宅等に設置された配線盤内に収容され、架空から引き落とされた光ケーブルにより送られてきた光信号を分岐させて各家庭に伝送するものである。このようなスプリッタモジュールとしては、例えば特許文献１に記載されているように、光ケーブルを分岐して受ける心線受部と、この心線受部で分岐された複数の光ファイバ心線を各光ソケットに接続するコネクタ収納部とを備えた箱形状のスプリッタモジュールが知られている。
【特許文献１】特開２００７―１２１３９８号公報
【発明の開示】
【発明が解決しようとする課題】
【０００３】
上記従来技術のようなスプリッタモジュールは、既築の建物内の配線盤内に備え付けられることが多い。この場合、配線盤内には既に他の機器やケーブル等が収容されているため、スプリッタモジュールの収容スペースが限られることがある。このため、スプリッタモジュールに接続される光コードの導入位置によっては光コードの取り回し（配線）に手間がかかることがある。
【０００４】
本発明の目的は、配線盤内における光コードの取り回しを行い易くすることができるスプリッタモジュールを提供することである。
【課題を解決するための手段】
【０００５】
本発明は、入力側光ファイバ心線から入射した光信号を分岐させて複数の出力側光ファイバ心線に出射する光スプリッタを有するスプリッタモジュールにおいて、光スプリッタを収容する第１筐体と、第１筐体の一端側に取り付けられ、出力側光ファイバ心線と接続される出力側光ソケットと、第１筐体の他端側に配置され、入力側光ファイバ心線と接続される入力側光ソケットと、第１筐体に対して可動するように取り付けられ、第１筐体に対する入力側光ソケットの位置を第１筐体の幅方向両側で切り換えるソケット位置切換部材とを備えることを特徴とするものである。
【０００６】
このような本発明のスプリッタモジュールでは、第１筐体に対する入力側光ソケットの位置を第１筐体の幅方向両側で切り換えるソケット位置切換部材を設けることにより、配線盤にスプリッタモジュールを備え付ける際に、第１筐体に対する入力側光ソケットの位置を適宜切り換えることができる。例えば、入力側光ソケットにコネクタ接続される入力側光コードの導入位置に近いほうに入力側光ソケットの位置を設定したり、入力側光コードの曲げが抑制されるほうに入力側光ソケットの位置を設定する。これにより、配線盤内においてスプリッタモジュールの収容スペースが限られる場合でも、入力側光コードを不要に曲げることが少なくなり、入力側光コードの取り回しが行い易くなる。
【０００７】
好ましくは、入力側光ソケットは、第１筐体の幅方向両側の何れの位置にあるときでも、第１筐体の厚さ方向に平行な軸を中心として回動可能となるようにソケット位置切換部材に取り付けられている。この場合には、入力側光ソケットをソケット位置切換部材に対して回動させることで、入力側光ソケットのプラグ受け口の向きを適宜変えることができる。従って、配線盤内において入力側光コードを不要に曲げることが更に少なくなり、入力側光コードの取り回しが一層行い易くなる。
【０００８】
また、好ましくは、第１筐体に対して重なり合うように配置された第２筐体を更に備え、第２筐体には、出力側光ファイバ心線と接続される出力側光ソケットが取り付けられている。この場合には、光スプリッタの分岐数が多くても、スプリッタモジュールの幅寸法を大きくしなくて済み、スプリッタモジュールの小型化を確保することができる。
【０００９】
このとき、出力側光ソケットは、第１筐体及び第２筐体の幅方向に平行な軸を中心として回動可能となるように第１筐体及び第２筐体にそれぞれ取り付けられていることが好ましい。この場合には、スプリッタモジュールが配線盤に取り付けられたときに、出力側光ソケットを回動させることで、出力側光ソケットのプラグ受け口を手前側（前面側）に向けることが可能となる。従って、出力側光コードの端部に装着された光コネクタプラグを出力側光ソケットに対して挿抜しやすくなる。
【００１０】
また、第２筐体は、第１筐体の厚さ方向に平行な軸を中心として回動可能となるように第１筐体に連結されていることが好ましい。この場合には、例えば複数本の出力側光コードが２つに分かれて異なる方向から配線盤内に導入される場合でも、その導入方向に応じて上部筐体を下部筐体に対して回動させることで、配線盤内において出力側光コードを不要に曲げることが少なくなり、出力側光コードの取り回しが行い易くなる。
【発明の効果】
【００１１】
本発明によれば、配線盤内においてスプリッタモジュールに接続される光コードの取り回しが行い易くなるので、作業性を向上させることができる。
【発明を実施するための最良の形態】
【００１２】
以下、本発明に係るスプリッタモジュールの好適な実施形態について図面を参照して詳細に説明する。
【００１３】
図１及び図２は、本発明に係るスプリッタモジュールの一実施形態の外観を示す斜視図である。各図において、本実施形態のスプリッタモジュール１は、断面略矩形状の下部筐体２と、この下部筐体２上に重なり合うように配置された断面略半楕円形状の上部筐体３とを備えている。
【００１４】
下部筐体２は、クランク状に形成されたベース４と、このベース４の左右両側に設けられ、下部筐体２の長手方向に延びる側壁部５とを有している。ベース４は、下部筐体２の幅方向に延びる仕切壁部６を有している。仕切壁部６の中央部には、軸穴部６ａ（図３参照）が形成されている。
【００１５】
下部筐体２は、図３に示すように、ベース４、両側壁部５及び仕切壁部６で形成された光部品収容領域７を有している。光部品収容領域７には、光信号を複数に分岐（ここでは８分岐）させる光スプリッタ８が配置されている。光スプリッタ８の一端には、入力側光ファイバ心線９が接続され、光スプリッタ８の他端には、複数本（ここでは８本）の出力側光ファイバ心線１０が接続されている。これにより、入力側光ファイバ心線９から入射した光信号は、光スプリッタ８により分岐されて各出力側光ファイバ心線１０に出射されるようになる。
【００１６】
また、光部品収容領域７には、上部筐体３を下部筐体２に対して回動可能に連結するための筒状部１１が設けられている。入力側光ファイバ心線９及び出力側光ファイバ心線１０の余長は、筒状部１１に巻かれている。筒状部１１の外周面は、最小曲げ半径Ｒが１５ｍｍ以上となるように構成されている。これにより、入力側光ファイバ心線９及び出力側光ファイバ心線１０の局所曲がりを防止することができる。
【００１７】
下部筐体２の上部には、筒状部１１を貫通させるように光部品収容領域７を覆う蓋部１２が設けられている。これにより、光スプリッタ８、入力側光ファイバ心線９及び出力側光ファイバ心線１０が保護される。
【００１８】
下部筐体２の一端部には、２つの２連出力側アダプタソケット１３を並べた状態で保持するアダプタソケットホルダ１４が光部品収容領域７に隣接するように配置されている。
【００１９】
出力側アダプタソケット１３は、光ファイバ心線の端部に装着された光コネクタプラグと嵌合するソケット部１３ａを両側に２つずつ有し、光ファイバ心線同士を接続するコネクタ部品である。出力側アダプタソケット１３としては、例えばＳＣ型アダプタソケットが用いられる。出力側アダプタソケット１３の一側（筐体内側）の各ソケット部１３ａには、出力側光ファイバ心線１０の先端部に装着された光コネクタプラグ（図示せず）が嵌合されている。
【００２０】
アダプタソケットホルダ１４は、下部筐体２に対して上下方向に回動可能に取り付けられている。具体的には、アダプタソケットホルダ１４は、下部筐体２の幅方向（光ソケット部１３ａの配列方向）に平行な軸を支点として回動可能となるように、各側壁部５と一体化された２つの側壁部１５に支持されている。これにより、図４に示すように、アダプタソケットホルダ１４に保持された出力側アダプタソケット１３の各ソケット部１３ａのプラグ受け口を下部筐体２に対して上方に向けることが可能となる。
【００２１】
また、下部筐体２には、アダプタソケットホルダ１４の反対側において下部筐体２に対する入力側アダプタソケット１６の位置を下部筐体２の幅方向両側で切り換えるソケット位置切換部材１７が回動可能に取り付けられている。
【００２２】
入力側アダプタソケット１６は、光ファイバ心線の端部に装着された光コネクタプラグと嵌合するソケット部１６ａを両側に１つずつ有している。ここでは、入力側アダプタソケット１６としてＳＣ型アダプタソケットが用いられる。入力側アダプタソケット１６は、ソケット位置切換部材１７におけるアダプタソケットホルダ１４の反対側部分に取り付けられたアダプタソケットホルダ１８に保持されている。
【００２３】
下部筐体２の他端側（アダプタソケットホルダ１４の反対側）には、ソケット位置切換部材１７を収容保持するための切換部材収容領域１９が下部筐体２の下面側に形成されている。下部筐体２の他端には、端壁部２０が仕切壁部６と対向するようにベース４から下部筐体２の下面側に突設している。端壁部２０と各側壁部５とは、下部筐体２の角部（隅部）を挟んで所定長だけ離間している。端壁部２０には、軸穴部２０ａが形成されている。切換部材収容領域１９は、ベース４、各側壁部５、仕切壁部６及び端壁部２０で形成されている。
【００２４】
ソケット位置切換部材１７の一側（筐体内側）には、仕切壁部６の軸穴部６ａと端壁部２０の軸穴部２０ａとに嵌合する２つの突起軸１７ａが設けられている。これにより、ソケット位置切換部材１７は、下部筐体２の下面側において突起軸１７ａを中心として１８０度回動可能となる。
【００２５】
仕切壁部６の軸穴部６ａと係合する突起軸１７ａには、光部品収容領域７から入力側アダプタソケット１６に入力側光ファイバ心線９を導くための心線導入穴（図示せず）が形成されている（図３参照）。そして、入力側アダプタソケット１６の一側（筐体内側）のソケット部１６ａには、その心線導入穴を通って導入された入力側光ファイバ心線９の先端部に装着された光コネクタプラグ（図示せず）が嵌合している。
【００２６】
入力側アダプタソケット１６を保持するアダプタソケットホルダ１８は、入力側アダプタソケット１６を下部筐体２の角部に位置させるようにソケット位置切換部材１７に取り付けられている。つまり、入力側アダプタソケット１６は、図１に示すように、下部筐体２の一方の角部に位置している。その状態からソケット位置切換部材１７を１８０度回動させると、図５に示すように、入力側アダプタソケット１６が下部筐体２の他方の角部に位置するようになる。
【００２７】
ソケット位置切換部材１７の外側面には、入力側アダプタソケット１６を下部筐体２の角部位置に保持するための係止用突起２１が設けられている（図５参照）。また、各側壁部５には、係止用突起２１と係合する係止受け穴２２が形成されている。これにより、ソケット位置切換部材１７を１８０度回動させることで、下部筐体２に対する入力側アダプタソケット１６の位置を切り換えても、入力側アダプタソケット１６をその切り換えた位置に保持しておくことができる。なお、入力側アダプタソケット１６が下部筐体２の角部位置に保持されている状態では、ソケット位置切換部材１７が下部筐体２の下面と面一となる。
【００２８】
アダプタソケットホルダ１８は、図６に示すように、下部筐体２の厚さ方向に平行な軸を中心として回動可能となるようにソケット位置切換部材１７に取り付けられている。具体的には、アダプタソケットホルダ１８は、入力側アダプタソケット１６のプラグ受け口を出力側アダプタソケット１３のプラグ受け口の反対側に向けた状態（図１参照）から、入力側アダプタソケット１３のプラグ受け口を出力側アダプタソケット１３のプラグ受け口に対して垂直に向けた状態（図６参照）まで９０度回動可能となっている。
【００２９】
ここで、入力側アダプタソケット１６のプラグ受け口が出力側アダプタソケット１３のプラグ受け口の反対側を向いているときは、図１に示すように、入力側アダプタソケット１６は端壁部２０から突き出た状態となる。入力側アダプタソケット１３のプラグ受け口が出力側アダプタソケット１３のプラグ受け口に対して垂直に向いているときは、図６に示すように、入力側アダプタソケット１６は側壁部５から突き出た状態となる。
【００３０】
なお、アダプタソケットホルダ１８の回動構造については、特に図示はしないが、突起軸と軸穴部との嵌合により行うことが可能である。このとき、アダプタソケットホルダ１８は、上記２つの状態にあるときにソケット位置切換部材１７に対して保持可能な構造となっている。
【００３１】
このような下部筐体２の上面には、一端側が開放された上部筐体３が連結されている。上部筐体３の長さ寸法及び幅寸法は、下部筐体２の寸法及び幅寸法よりも短くなっている。
【００３２】
上部筐体３の底面には、下部筐体２の筒状部１１に嵌合する円柱状突起（図示せず）が設けられている。これにより、上部筐体３は、図７（Ａ）〜（Ｃ）に示すように、筒状部１１を中心として下部筐体２に対して３６０度回動（旋回）可能となる。ここで、上部筐体３を下部筐体２に対して回動させるときは、心線筒状部１１の外周面に沿って巻かれた入力側光ファイバ心線９及び出力側光ファイバ１０の回転曲げ半径Ｒが大きくなる方向に、上部筐体３を回転させるようにするのが望ましい。なお、上部筐体３は、下部筐体２に対して任意の角度で保持可能な構成となっている。
【００３３】
上部筐体３の開放部分には、２つの２連出力側アダプタソケット２３を並べた状態で保持するアダプタソケットホルダ２４が配置されている。出力側アダプタソケット２３は、上記の出力側アダプタソケット１３と全く同じものであり、ソケット部２３ａを両側に２つずつ有している。アダプタソケットホルダ２４は、上記のアダプタソケットホルダ１４と全く同じものである。出力側アダプタソケット２３の一側（筐体内側）の各ソケット部２３ａには、出力側光ファイバ心線１０の先端部に装着された光コネクタプラグ（図示せず）が嵌合されている。
【００３４】
アダプタソケットホルダ２４は、上部筐体３に対して上下方向に回動可能に取り付けられている。具体的には、上部筐体３の左右両側には、上部筐体３の開放側に突出した側壁部２５がそれぞれ設けられている。そして、アダプタソケットホルダ２４は、上部筐体３の幅方向（光ソケット部２３ａの配列方向）に平行な軸を支点として回動可能となるように各側壁部２５に支持されている。これにより、図４に示すように、アダプタソケットホルダ２４に保持された出力側アダプタソケット２３の各ソケット部２３ａのプラグ受け口を上部筐体３に対して上方に向けることが可能となる。
【００３５】
以上のように構成されたスプリッタモジュール１は、集合住宅等の建物内の壁に設置された主配線盤や分電盤等（以下、まとめて配線盤）に備え付けられる。具体的には、例えば配線盤内の所定のスペースにスプリッタモジュール１を取り付け、入力側光コード９を入力側アダプタソケット１６の筐体外側のソケット部１６ａにコネクタ接続し、複数本の出力側光コード１０を出力側アダプタソケット１３，２３の筐体外側の各ソケット部１３ａ，２３ａにそれぞれコネクタ接続する。
【００３６】
このとき、配線盤内に既に他の機器やケーブル等が数多く収容されている場合には、スプリッタモジュール１を取り付けるための収容スペースの確保が難しくなり、これに伴ってスプリッタモジュール１の取り扱いや入力側光コード９及び出力側光コード１０の取り回し（配線）が困難になることがある。
【００３７】
しかし、本実施形態のスプリッタモジュール１は、下部筐体２及び上部筐体３を有する上下２段構造となっているので、光スプリッタ８の分岐数が多いにも拘わらずスプリッタモジュール１の幅寸法が小さく、スプリッタモジュール１の小型化が図られている。このため、例えば配線盤内の収容スペースが限られていても、スプリッタモジュール１を取り付けることが可能となる。
【００３８】
また、下部筐体２における出力側アダプタソケット１３の反対側において下部筐体２に対する入力側アダプタソケット１６の配置位置を下部筐体２の幅方向両側で切り換えるソケット位置切換部材１７を設けたので、下部筐体２に対する入力側アダプタソケット１６の配置位置を必要に応じて適宜変えることができる。例えば、入力側光コードの導入位置が近い方や入力側光コードを曲げることが少なくなる方に、入力側アダプタソケット１６の配置位置を切り換えるようにする。
【００３９】
また、入力側アダプタソケット１６のプラグ受け口の向きが９０度可変であるので、入力側光コードの導入方向等に応じて入力側アダプタソケット１６のプラグ受け口の向きを適宜変えることもできる。例えば、入力側光コードが出力側光コードの導入方向の反対側から導入される場合には、図１に示すように、入力側アダプタソケット１６のプラグ受け口を出力側アダプタソケットのプラグ受け口の反対側に向けるようにする。また、入力側光コードが出力側光コードの導入方向に対して垂直の方向から導入される場合には、図６に示すように、入力側アダプタソケット１６のプラグ受け口を出力側アダプタソケット１３のプラグ受け口に対して垂直な方向に向けるようにする。
【００４０】
さらに、上部筐体３は下部筐体２に対して回動可能であるので、出力側光コードの導入方向等に応じて出力側アダプタソケット１３に対する出力側アダプタソケット２３のプラグ受け口の向きを適宜変えることもできる。例えば、複数本の出力側光コードが半分ずつ互いに反対側の方向から導入される場合には、図１に示すように、出力側アダプタソケット２３のプラグ受け口を出力側アダプタソケット１３のプラグ受け口の反対側に向けるようにする。また、全ての出力側光コードが同じ方向から導入される場合には、図７（Ｂ）に示すように、出力側アダプタソケット２３のプラグ受け口を出力側アダプタソケット１３のプラグ受け口と同じ側に向けるようにする。さらに、複数本の出力側光コードが半分ずつ互いに垂直な方向から導入される場合には、図７（Ａ），（Ｃ）に示すように、出力側アダプタソケット２３のプラグ受け口を出力側アダプタソケット１３のプラグ受け口に対して垂直な方向に向けるようにする。
【００４１】
このように配線盤内の機器やケーブル等の収容状況に応じて、下部筐体２に対する入力側アダプタソケット１６の配置位置、入力側アダプタソケット１６のプラグ受け口の向き、出力側アダプタソケット１３に対する出力側アダプタソケット２３のプラグ受け口の向きを自由に変えることができる。従って、入力側光コード及び出力側光コードの不要な引き回しを行うことなく、入力側光コードを入力側アダプタソケット１６に容易にコネクタ接続し、出力側光コードを出力側アダプタソケット１３，２３に容易にコネクタ接続することができる。これにより、配線盤内における入力側光コード及び出力側光コードの取り回し（配線）が行いやすくなるため、スプリッタモジュール１の備え付けの作業性を向上させることができる。
【００４２】
また、スプリッタモジュール１を配線盤に取り付けたときに、図４に示すようにアダプタソケットホルダ１４，２４を回動させることで、出力側アダプタソケット１３，２３のプラグ受け口を手前側に向けることができる。これにより、出力側光コードの先端部に装着された光コネクタプラグを出力側アダプタソケット１３，２３に対して挿入・抜去しやすくなる。従って、スプリッタモジュール１の備え付けの作業性を一層向上させることができる。
【００４３】
なお、本発明は、上記実施形態に限定されるものではない。例えば上記実施形態では、入力側アダプタソケット１６の位置を切り換えるソケット位置切換部材１７が下部筐体２に取り付けられているが、そのようなソケット位置切換部材１７を上部筐体３に取り付けた構造としても良い。この場合には、入力側アダプタソケット１６と光スプリッタ８とを接続する入力側光ファイバ心線９を短くするために、光スプリッタ８を上部筐体３内に収容するのが望ましい。
【００４４】
また、上記実施形態のスプリッタモジュール１は、上部筐体２及び下部筐体３を有する上下２段構造となっているが、光スプリッタの分岐数が少ない場合（上記実施形態では４分岐の場合）には、特にスプリッタモジュールの筐体を２段構造とせずに１つとしても良い。
【図面の簡単な説明】
【００４５】
【図１】本発明に係るスプリッタモジュールの一実施形態の外観を示す斜視図である。
【図２】図１に示したスプリッタモジュールを下面側から見たときの外観を示す斜視図である。
【図３】図１及び図２に示した下部筐体の内部の配線状態を示す斜視図である。
【図４】図１に示したアダプタソケットホルダを筐体に対して上方に回動させた状態を示す斜視図である。
【図５】図１に示した入力側アダプタソケットの位置が切り換わった状態を示す斜視図である。
【図６】図５に示した入力側アダプタソケットの向きを９０度変えた状態を示す斜視図である。
【図７】図１に示した上部筐体を下部筐体に対して回動させた状態を示す斜視図である。
【符号の説明】
【００４６】
１…スプリッタモジュール、２…下部筐体（第１筐体）、３…上部筐体（第２筐体）、８…光スプリッタ、９…入力側光ファイバ心線、１０…出力側光ファイバ心線、１３…出力側アダプタソケット（出力側光ソケット）、１６…入力側アダプタソケット（入力側光ソケット）、１７…ソケット位置切換部材、２３…出力側アダプタソケット（出力側光ソケット）。
【図１】
2010122597.tif 000003
【図２】
2010122597.tif 000004
【図３】
2010122597.tif 000005
【図４】
2010122597.tif 000006
【図５】
2010122597.tif 000007
【図６】
2010122597.tif 000008
【図７】
2010122597.tif 000009